(57)【要約】【課題】２つの通信装置間で通信を行うときに、その利用者が表示を参照しやすいように、表示の向きを整えることができるようにする。【解決手段】無線もしくは有線による通信を制御する通信制御手段と、文字もしくは画像を表示するための表示手段と、前記表示手段に表示する内容を制御するための表示制御手段とを備え、表示制御手段は、前記通信制御手段によって他の装置との通信が確立している間に、前記表示手段による表示内容を回転して表示するようにして、通信装置の表示内容を違和感なく参照できるようにする。【選択図】図１
2013076892.tif 000002
【特許請求の範囲】
【請求項１】
無線もしくは有線による通信を制御する通信制御手段と、
文字もしくは画像を表示するための表示手段と、
前記表示手段に表示する内容を制御するための表示制御手段とを備え、
前記表示制御手段は、前記通信制御手段によって他の装置との通信が確立している間に、前記表示手段による表示内容を回転して表示することを特徴とする通信装置。
【請求項２】
前記表示制御手段は、他の装置との通信が確立したときに、表示内容を回転して表示することを特徴とする請求項１に記載の通信装置。
【請求項３】
前記表示制御手段は、他の装置との通信が確立し、さらに特定のデータ送受信が開始されたときに、表示内容を回転して表示することを特徴とする請求項１に記載の通信装置。
【請求項４】
前記通信装置を操作するための操作手段を備え、
前記表示制御手段は、他の装置との通信が確立し、さらに前記操作手段によって特定の操作がなされたときに、表示内容を回転して表示することを特徴とする請求項１に記載の通信装置。
【請求項５】
前記表示制御手段は、他の装置との通信が確立し、さらに前記他の装置からの指示を受けたときに、表示内容を回転して表示することを特徴とする請求項１に記載の通信装置。
【請求項６】
無線もしくは有線による通信を制御する通信制御手段と、
他の装置の表示内容を指示する指示手段とを備え、
前記指示手段は、前記通信制御手段によって他の装置との通信が確立している間に、前記他の装置に対して表示内容を回転して表示するよう指示することを特徴とする通信装置。
【請求項７】
前記指示手段は、他の装置との通信が確立したときに、前記他の装置に対して表示内容を回転して表示するよう指示することを特徴とする請求項６に記載の通信装置。
【請求項８】
前記指示手段は、前記通信制御手段によって他の装置との通信が確立し、さらに特定のデータ送受信が開始されたときに、前記他の装置に対して表示内容を回転して表示するよう指示することを特徴とする請求項６に記載の通信装置。
【請求項９】
前記通信装置を操作するための操作手段を備え、
前記指示手段は、前記通信制御手段によって他の装置との通信が確立し、さらに前記操作手段によって特定の操作がなされたときに、前記他の装置に対して表示内容を回転して表示するよう指示することを特徴とする請求項６に記載の通信装置。
【請求項１０】
無線もしくは有線による通信を制御する通信制御工程と、
文字もしくは画像を表示するための表示手段に表示する内容を制御するための表示制御工程とを備え、
前記表示制御工程は、前記通信制御工程において他の装置との通信が確立している間に、前記表示手段による表示内容を回転して表示することを特徴とする通信方法。
【請求項１１】
無線もしくは有線による通信を制御する通信制御工程、
他の装置の表示内容を指示する指示工程とを備え、
前記指示工程は、前記通信制御工程において他の装置との通信が確立している間に、前記他の装置に対して表示内容を回転して表示するよう指示することを特徴とする通信方法。
【請求項１２】
無線もしくは有線による通信を制御する通信制御工程と、
文字もしくは画像を表示するための表示手段に表示する内容を制御するための表示制御工程とを備え、
前記表示制御工程は、前記通信制御工程において他の装置との通信が確立している間に、前記表示手段による表示内容を回転して表示する通信方法をコンピュータに実行させることを特徴とするプログラム。
【請求項１３】
無線もしくは有線による通信を制御する通信制御工程、
他の装置の表示内容を指示する指示工程とを備え、
前記指示工程は、前記通信制御工程において他の装置との通信が確立している間に、前記他の装置に対して表示内容を回転して表示するよう指示する通信方法をコンピュータに実行させることを特徴とするプログラム。
【請求項１４】
請求項１２または１３に記載のプログラムを記憶したことを特徴とするコンピュータ読み取り可能な記憶媒体。
【請求項１５】
該装置がどの向きに保持されているかを検出する方向検出手段を備え、
前記方向検出手段によって該装置が前記他の装置と逆の方向に保持されていることを検出したときに、表示内容を回転して表示することを特徴とする請求項１に記載の通信装置。
【請求項１６】
通信手段もしくは通信手段に相当する外部装置を装着するための装着手段を備え、
表示内容を回転表示する前後のいずれの場合においても、前記通信手段もしくは前記装着手段の位置を指し示す表示を前記表示制御手段によって行うことを特徴とする請求項１に記載の通信装置。
【発明の詳細な説明】
【技術分野】
【０００１】
本発明は通信装置及び通信方法に関し、特に、表示手段を備えた通信装置、もしくは通信相手が表示手段を備えている通信装置に用いて好適な技術に関するものである。
【背景技術】
【０００２】
複数の通信装置間で行なわれる通信において、各々が備えた表示装置を連携させる技術が公開されている。例えば、特許文献１では、通信接続された複数端末に対して同一の画像回転や画像反転を行い各々に表示することが開示されている。
【０００３】
また、近年実用化されている近接無線技術においては、装置間で通信を行うために、双方の装置をある決められた配置条件内に保持することが求められている。例えば、特許文献２に示されている通信端末間の赤外線通信においては、端末の先端部に配置された赤外線発光部および受光部を双方が付き合わせて通信を行う構成としている。
【先行技術文献】
【特許文献】
【０００４】
【特許文献１】特開平１０−２１１６３号公報
【特許文献２】特開２００１−２３７９５３号公報
【特許文献３】特開平５−１９７３４９号公報
【特許文献４】特開２００５−２４９７９号公報
【発明の概要】
【発明が解決しようとする課題】
【０００５】
しかしながら、特許文献１に記載の画像表示制御方法は、複数端末に同じ情報を表示することを目的としており、複数端末の表示を同時に閲覧することは考慮されていなかった。また、特許文献２に記載の携帯情報端末装置では、２台の端末の画面を同時に閲覧可能な物理的構成であるにもかかわらず、２台の表示を連携させて情報を豊かにするような工夫はされていなかった。特に、一方の端末の利用者にとっては、通信相手の端末の画面は天地が逆に見えるため、視界には入るものの、参照しやすいものではなかった。
【０００６】
本発明は前述の問題点に鑑み、２つの通信装置間で通信を行うときに、その利用者が表示を参照しやすいように、表示の向きを整えることができるようにすることを目的とする。
もしくは、２つの通信装置間で通信を行うときに、各々が備えた表示装置の連携による効果をその利用者が享受しやすいように、表示の向きを揃えることができるようにすることを目的とする。
【課題を解決するための手段】
【０００７】
本発明の通信装置は、無線もしくは有線による通信を制御する通信制御手段と、文字もしくは画像を表示するための表示手段と、前記表示手段に表示する内容を制御するための表示制御手段とを備え、表示制御手段は、前記通信制御手段によって他の装置との通信が確立している間に、前記表示手段による表示内容を回転して表示することを特徴とする。
【発明の効果】
【０００８】
本発明によれば、他の通信装置と通信を行うときに表示を回転させることができるので、利用者は一方の通信装置の方向から他方の通信装置の表示内容を違和感なく参照できる。また、双方の通信装置がともに表示手段を備えている場合は、双方で連携した表示を行うことが容易になる。
また、本発明の他の特徴によれば、通信装置および通信装置の間の通信においては、通信装置の表示の向きを揃えるための指示を通信装置によって行うことができる。これによって、利用者は一方の通信装置の方向から他方の通信装置の表示内容を違和感なく参照できる。また、双方の通信装置がともに表示手段を備えている場合は、双方で連携した表示を行うことが容易になる。
【図面の簡単な説明】
【０００９】
【図１】本発明の実施形態に係るビデオカメラの配置例を示す図である。
【図２】第１の実施形態に係るビデオカメラの構成例を示すブロック図である。
【図３】第１の実施形態に係るビデオカメラの動作を示すフローチャートである。
【図４】フレームバッファの読み出し方向の関係を示す図である。
【図５】第１の実施形態で静止画像を通信転送するときの画面効果を示す図である。
【図６】第１の実施形態で転送する動画像を選択するときの画面効果を示す図である。
【図７】第２の実施形態に係るビデオカメラの構成例を示すブロック図である。
【図８】第２の実施形態に係るビデオカメラの動作を示すフローチャートである。
【図９】図５の表示制御を表すフローチャートである。
【図１０】図６の表示制御を表すフローチャートである。
【図１１】第３の実施形態に係るビデオカメラの配置例を示す図である。
【図１２】第３の実施形態に係るビデオカメラの構成例を示すブロック図である。
【図１３】第３の実施形態に係るビデオカメラの動作を示すフローチャートである。
【発明を実施するための形態】
【００１０】
以下に、本発明の好ましい実施形態を、添付の図面に基づいて詳細に説明する。
（第１の実施形態）
以下、本発明の第１の実施形態によるデジタルビデオカメラについて説明する。
図１は、デジタルビデオカメラにおいて、本発明に係る表示を行ったときのカメラの配置の一例を示す図である。
【００１１】
図１に示す２台のビデオカメラ（１０１、１１１）は、文字もしくは画像を表示する表示手段であるＬＣＤパネル部（１０２、１１２）の上辺付近に通信手段である近接無線用のアンテナ（１０３、１１３）をそれぞれ内蔵している。この場合、図１のように、ビデオカメラ同士を向かい合わせに置いて、ＬＣＤパネル部（１０２、１１２）がそれぞれ上を向くようにヒンジ部（１０４、１１４）を調節することによって、アンテナ（１０３、１１３）を互いに接近させることができる。さらに、このとき双方のＬＣＤパネル部（１０２、１１２）を両方同時に覗き込むことができるような配置となる。
【００１２】
ただし、図１の装置レイアウトは一例であり、双方の表示装置の同じ方向の辺、すなわち、上辺同士もしくは下辺同士もしくは左辺同士もしくは右辺同士が互いに接近したときに通信できるような構成であれば、本発明は図１には限定されない。通信方式は、例えばＮＦＣやＴｒａｎｓｆｅｒ Ｊｅｔ（登録商標）が適用できる。あるいは、アンテナが必要な通信方式、すなわち電波による無線でなくとも、光や磁気によるものであってもよいし、有線通信であっても構わない。アンテナや、それに相当する発光部、受光部、磁気コイル、接続端子等の通信手段は、ビデオカメラに内蔵する形態でも、本体内部や外装に外部装置を装着するような形態でも構わない。いずれの場合も、後述するＣＰＵ２０６が通信制御部２０８を介してこれらの通信手段を制御する。ビデオカメラの操作には、ジョイスティック（１０５、１１５）を用いる。
【００１３】
本実施形態では、２台のビデオカメラのうち１台（第１のビデオカメラ１０１）が状況に応じてＬＣＤパネル１０２の表示を１８０度回転して表示する。これによって、利用者は第２のビデオカメラ１１１の側から２台のビデオカメラ双方のＬＣＤパネル部（１０２、１１２）の表示内容を容易に視認できる。この効果の具体的な利用方法は後述する。
【００１４】
図２は、第１のビデオカメラ１０１の内部のデータパスを示すブロック図である。
図２において、２０１はアナログ映像信号を入力するためのカメラ部、２０２はカメラ部２０１のアナログ映像信号をデジタルの動画データにし、適切に補正するための映像処理部である。
【００１５】
カメラ部２０１は、被写体からの光を結像させるためのレンズ、レンズによって結像された被写体像を光電変換する撮像素子、撮像素子を駆動する回路等も含む。２０４は映像処理部２０２による動画データを符号化するためのエンコーダ・デコーダ部である。エンコーダ・デコーダ部２０４によって符号化された動画データは、一次記憶部２０３にいったん記憶された後、付随する管理データとともに動画記憶部２０５に記憶される。２０６は装置全体の動作を制御するためのＣＰＵである。
【００１６】
動画の再生時は逆に、動画記憶部２０５から読み出された符号化された動画データが一次記憶部２０３を介してエンコーダ・デコーダ部２０４で復号化され、再び一次記憶部２０３内の動画用フレームバッファに展開される。また、動画記憶部２０５から読み出された管理データは、ＣＰＵ２０６によるＯＳＤ生成に利用され、一次記憶部２０３内のＯＳＤ用フレームバッファに描画される。動画用フレームバッファとＯＳＤ用フレームバッファの内容は表示制御部２０９で重畳されてＬＣＤパネル１０２に表示されるか、もしくは映像出力端子２１０から映像出力される。
【００１７】
ＣＰＵ２０６は、プログラム・データ記憶部２０７からプログラムを読み込んで前述した動作を制御する。一次記憶部２０３は、ＣＰＵ２０６のワーク領域としても機能する。１０５はユーザによる動作指示を受け付けるためのジョイスティックである。他の装置との通信は、通信制御部２０８およびアンテナ１０３を経由して行われる。ＣＰＵ２０６はジョイスティック１０５および通信制御部２０８の挙動に従って装置全体の動作状態を遷移させる。
【００１８】
図３は、第１のビデオカメラ１０１において、他装置との通信の確立から終了するまでの動作を表すフローチャートである。図３のフローチャートの動作は、ＣＰＵ２０６が、各部の動作を制御することにより実現される。
他装置である第２のビデオカメラ１１１との通信が確立したら（Ｓ３０１）、表示の回転を行うかどうかを判定する（Ｓ３０２）。この条件は、具体的には例えば下記のいずれかとなることが考えられる。
【００１９】
（イ）接続が確立したとき（直ちに真となる）。（ロ）通信によって特定のデータ送受信が開始されたとき。（ハ）ジョイスティック１０５によって特定の操作がなされたとき。（ニ）通信によって第２のビデオカメラ１１１から特定の指示を受けたとき。前述した（イ）〜（ニ）の条件が満たされずに通信が終了したとき（Ｓ３０３）は、そのまま処理を終了する。
【００２０】
Ｓ３０２の条件を満たしたときは、ＬＣＤパネル１０２の表示を１８０度回転する（Ｓ３０４）。このとき、第２のビデオカメラ１１１のＬＣＤパネル１１２は回転していないので、利用者が第２のビデオカメラ１１１の側から両ビデオカメラのＬＣＤパネル１０２および１１２を覗きこんだ場合、双方の表示を自然な方向で閲覧することができる。
【００２１】
この後、回転表示を終了する条件（Ｓ３０５）も次のような場合が考えられる。
（ａ）接続を終了する。（ｂ）通信による特定のデータ送受信が終了したとき。（ｃ）ジョイスティック１０５によって特定の操作がなされたとき。（ｄ）通信によって第２のビデオカメラ１１１から特定の指示を受けたとき。前述した（ａ）〜（ｄ）の条件が満たされたら、ＬＣＤパネル１０２の表示を元の状態に戻す（Ｓ３０６）。表示を元に戻した状態は、１８０度回転した表示を基準に考えれば、さらに１８０度回転した状態と捉えることもできる。最後に通信を終了する（Ｓ３０７）。
【００２２】
ところで、本発明における回転表示はどのような手段で行っても構わないが、ここでは例として３つの方法を挙げる。
一つ目の方法は、一次記憶部２０３内のフレームバッファへ描画する際に座標変換を行う方法である。任意の図形を回転させた図形を得る方法として、アフィン変換が知られている。ある座標(x1、y1)について、原点(x0、y0)を中心にθラジアンだけ回転させた座標(x2、y2)を得るためのアフィン変換は式１で表される。この方法を用いた場合は、表示を任意の角度で回転させることが可能であり、また、画面内の表示要素の一部分だけを回転させて表示することも可能である。
【００２３】
【数１】
2013076892.tif 000003
【００２４】
二つ目の方法は、フレームバッファの読み出し順を変更する方法である。
図４は、フレームバッファと読み出し方向の関係を示す図である。フレームバッファは４０１ａのような２次元平面で表され、動画データであれば一般的には左上端のピクセル４０２ａから右方向に向かって順に描画され、右端までたどり着いたら一ライン下の左端へ描画位置を移動する。この繰り返しによる走査で右下端のピクセル４０３ａまでたどり着いたら一画面分のフレームバッファの描画完了となる。これを描画と同じ順序で読み出し走査してＬＣＤパネル１０２へ表示すれば、回転を行わない通常の表示４０１ｂとなる。
【００２５】
一方、読み出し走査を描画とは全く逆に、右下端のピクセル４０３ａから左上端のピクセル４０２ａに向かって読み出せば、ＬＣＤパネル１０２には画面全体を１８０度回転した画面４０１ｃを表示することができる。あるいは、読み出しを縦方向に行えば、９０度もしくは２７０度の回転も可能である。
【００２６】
三つ目の方法は、ＬＣＤドライバの駆動方法によるものである。これについては、特許文献３もしくは特許文献４に開示されている。
【００２７】
本実施形態によって、例えば図５もしくは図６のような効果を実現することができる。図５および図６はいずれも２台のビデオカメラを図１と同様に配置して通信を開始し、一方のビデオカメラを１８０度回転表示させた状態を示している。
【００２８】
図５は、第２のビデオカメラ１１１から第１のビデオカメラ１０１へ静止画像を通信転送するときの画面効果を示している。ＬＣＤパネル１１２は、転送開始前は転送される画像全体が画面いっぱいに表示されるが、転送が開始されると画像が徐々に画面上方へ向かってスクロールしていくため、画像の上部から順に画面上に見えなくなる。
【００２９】
一方、ＬＣＤパネル１０２は、転送開始前は転送される画像は表示されていないが、ジョイスティック１１５の操作によって転送が開始されると画面の下方から画像がスクロールしながら徐々に表示される。ただし、このときＬＣＤパネル１０２は１８０度回転表示されているため、仮にこれを本来の方向から見ると、画面の上方から天地反転した画像が徐々に降りてくるような表示となっている。ＬＣＤパネル１０２と１１２を同時に閲覧すると、あたかも画像がＬＣＤパネル１１２から１０２へ移動するようなアニメーション表示に見えるため、利用者は画像が転送されていることをより視覚的に認知することができる。
【００３０】
図９は、図５の表示制御を表すフローチャートである。図９のフローチャートの動作は、第１のビデオカメラ１０１および第２のビデオカメラ１１１において、それぞれのＣＰＵ７０６が装置の各部の動作を制御することにより実現される。なお、受信側である第１のビデオカメラ１０１のＬＣＤパネル１０２は、あらかじめ１８０度回転表示されているものとして説明する。
Ｓ９０１以降のチャートは、送信側である第２のビデオカメラ１１１が行うステップである。
【００３１】
通信を開始したら（Ｓ９０１）、まず、画像送信前を表す画面表示用静止画をＬＣＤパネル１１２に表示する（Ｓ９０２）。この画像は、送信すべき本画像であっても、データ量の小さい簡易画像であってもよい。
次に、画面表示用静止画を第１のビデオカメラ１０１へ送信する（Ｓ９０３）。この画像は、迅速に送信するために、データ量の小さい簡易画像であるほうが望ましい。
その後、本画像を送信開始する（Ｓ９０４）。第２のビデオカメラ１１１の通信制御部２０８から通信の進捗状況を逐次取得し、それに応じて図５のとおりのスクロール表示を行う（Ｓ９０５）。送信を完了した時点で、ＬＣＤパネル１１２は画像が表示されていない状態になる。
送信が完了したら（Ｓ９０６）、一連の処理を終了する。
【００３２】
Ｓ９０７以降のチャートは、受信側である第１のビデオカメラ１０１が行うステップである。
通信を開始したら（Ｓ９０７）、第２のビデオカメラ１１１から送信される画面表示用静止画を受信する（Ｓ９０８）。
続いて本画像の受信を開始する（Ｓ９０９）。第１のビデオカメラ１０１の通信制御部２０８から通信の進捗状況を逐次取得し、それに応じて図５のとおりのスクロール表示を行う（Ｓ９１０）。受信を完了した時点で、ＬＣＤパネル１０２は画像が画面全体に表示された状態になる。
受信が完了したら（Ｓ９１１）、一連の処理を終了する。
【００３３】
図６は、第２のビデオカメラ１１１が持っている動画像データのうち、第１のビデオカメラ１０１へ通信転送するデータを選択するときの画面効果を示している。ＬＣＤパネル１１２には第２のビデオカメラ１１１が持っている動画像データのサムネイル画像が一覧表示されている。
【００３４】
この中でジョイスティック１１５によってフォーカスされたサムネイルの動画像データが、ＬＣＤパネル１０２にプレビュー再生される。このとき、第２のビデオカメラ１１１が再生状態であることを示すアイコン６１１および６０１は、ＬＣＤパネル１１２および１０２の双方に表示される。
【００３５】
利用者がプレビュー再生を確認しながらジョイスティック１１５でサムネイルを選択した後、転送を指示すると、選択された動画像データが第２のビデオカメラ１１１から第１のビデオカメラ１０１へ順次転送される。このように、２画面でインデックス表示とプレビュー再生を同時に行うことによって、利用者は転送すべき動画像をより簡便に選択することができる。
【００３６】
図１０は、図６の表示制御を表すフローチャートである。図１０のフローチャートの動作は、第１のビデオカメラ１０１および第２のビデオカメラ１１１において、それぞれのＣＰＵ７０６が装置の各部の動作を制御することにより実現される。なお、受信側である第１のビデオカメラ１０１のＬＣＤパネル１０２は、あらかじめ１８０度回転表示されているものとして説明する。
Ｓ１００１以降のチャートは、送信側である第２のビデオカメラ１１１が行うステップである。
【００３７】
通信を開始したら（Ｓ１００１）、まず、サムネイル一覧を表示する（Ｓ１００２）。初期フォーカス位置が決定した時点、あるいはジョイスティック１１５の操作によってフォーカスが変更された時に（Ｓ１００３）、フォーカス位置のサムネイルが示す映像データを第１のビデオカメラ１０１へ送信開始する（Ｓ１００４）。
ジョイスティック１１５によってサムネイルが選択決定されたら（Ｓ１００５）、選択決定情報を第１のビデオカメラ１０１へ送信し、そのとき送信している映像データ（すなわち選択した映像データ）の送信が完了するまで待つ（Ｓ１００６）。
送信が完了したら、一連の処理を終了する。
【００３８】
Ｓ１００７以降のチャートは、受信側である第１のビデオカメラ１０１が行うステップである。
通信を開始したら（Ｓ１００７）、第２のビデオカメラ１１１から映像データが送信されてくるのを待つ。映像データが送信されてきたら映像の受信を開始する（Ｓ１００８）。次に、その映像データを受信しながらストリーム再生を開始する（Ｓ１００９）。第２のビデオカメラ１１１においてフォーカスしているサムネイルが変更されたら、その都度受信する映像データ、すなわちストリーム再生する映像を切り替える。また、映像の最後まで再生が終わったら（Ｓ１０１１）、Ｓ１００９に戻りその映像の先頭から再度再生する。
第２のビデオカメラ１１１から選択決定情報を受信したら（Ｓ１０１０）、そのとき受信している映像データ（すなわち、選択された映像データ）の受信が完了するまで待つ（Ｓ１０１２）。
送信が完了したら、一連の処理を終了する。
【００３９】
なお、サムネイルを一覧表示するカメラとプレビュー再生を行うカメラは、逆でも構わない。この場合は、あらかじめ複数のサムネイル画像が第２のビデオカメラ１１１から第１のビデオカメラ１０１へ転送され、ＬＣＤパネル１０２に一覧表示される。ジョイスティック１０５もしくはジョイスティック１１５でサムネイルを選択すると、選択された動画像データが第２のビデオカメラ１１１から読みだされ、通信を介すことなくＬＣＤパネル１１２で表示される。選択操作をジョイスティック１１５で行った場合は、操作情報が第２のビデオカメラ１１１から第１のビデオカメラ１０１へ送信され、ＬＣＤパネル１０２上のサムネイルフォーカス表示が更新される。
【００４０】
なお、本実施形態では表示の回転角を１８０度としたが、図５もしくは図６のように、２つの表示装置の表示を連携させることによる効果が得られるのであれば、回転角を９０度や２７０度、あるいは任意の角度としても構わない。
【００４１】
（第２の実施形態）
以下、本発明の第２の実施形態によるデジタルビデオカメラについて説明する。
カメラの配置を示す図は、前述した第１の実施形態で示した図１と同一の図であるが、第１の実施形態に係るビデオカメラが第１のビデオカメラ１０１であったのに対して、本実施形態に係るビデオカメラは第２のビデオカメラ１１１である。また、図１にはＬＣＤパネル１１２とヒンジ１１４が図示されているが、これらはなくても構わない。ただし、周辺のアンテナ１１３、ジョイスティック１１５はいずれかの位置に備えている必要がある。その他の要素については第１の実施形態での説明に等しい。
【００４２】
図７は、第２のビデオカメラ１１１の内部のデータパスを示すブロック図である。第１の実施形態で説明した第１のビデオカメラ１０１のブロック図と同一の構造であるため、詳細な説明は省略する。ただし、前述したようにＬＣＤパネル１１２はなくても構わないし、カメラ部７０１と映像処理部７０２も構成から除外することができる。この場合は１１１はビデオカメラではなくビデオプレーヤもしくはクレードルであるとみなすことができる。
【００４３】
図８は、第２のビデオカメラ１１１において、他装置との通信の確立から終了までの動作を表すフローチャートである。図８のフローチャートの動作は、ＣＰＵ７０６が装置の各部の動作を制御することにより実現される。ただし、このときの第１のビデオカメラ１０１は、第１の実施形態の構成で説明したように、通信相手である第２のビデオカメラ１１１からの表示回転指示を受けてＬＣＤパネル１０２の表示を１８０度回転することができる必要がある。
【００４４】
第１のビデオカメラ１０１との通信が確立したら（Ｓ８０１）、第１のビデオカメラ１０１の表示を回転させるかどうかを判定する（Ｓ８０２）。この条件は、具体的には例えば下記のいずれかとなることが考えられる。
【００４５】
（イ）接続が確立したとき（直ちに真となる）。（ロ）通信によって特定のデータ送受信が開始されたとき。（ハ）ジョイスティック１０５によって特定の操作がなされたとき。
この条件が満たされずに通信が終了したとき（Ｓ８０３）は、そのまま処理を終了する。
【００４６】
Ｓ８０２の条件を満たしたときは、第１のビデオカメラ１０１に対してＬＣＤパネル１０２の表示を１８０度回転するよう指示する（Ｓ８０４）。このとき、第２のビデオカメラ１１１がＬＣＤパネル１１２を持っていれば、これは回転していない。これにより、利用者が第２のビデオカメラ１１１の側から両ビデオカメラのＬＣＤパネル１０２および１１２を覗きこんだ場合、双方の表示を自然な方向で閲覧することができる。また、第２のビデオカメラ１１１がＬＣＤパネル１１２を持っていない場合も、利用者は第２のビデオカメラ１１１の側からＬＣＤパネル１０２を自然な方向で閲覧することができる。
【００４７】
この後、回転表示を終了するよう指示するための条件（Ｓ８０５）も次のような場合が考えられる。（ａ）接続を終了する。（ｂ）通信による特定のデータ送受信が終了したとき。（ｃ）ジョイスティック１１５によって特定の操作がなされたとき。この条件が満たされたら、第１のビデオカメラ１０１に対してＬＣＤパネル１０２の表示を元の状態に戻すよう指示する（Ｓ８０６）。最後に、通信を終了する（Ｓ８０７）。
【００４８】
本実施形態によっても、第１の実施形態の図５もしくは図６と同一の効果を実現することができる。また、第２のビデオカメラ１１１（もしくはビデオプレーヤもしくはクレードル）がＬＣＤパネル１１２を持っていなかったとしても、利用者は第１のビデオカメラ１０１のＬＣＤパネル１０２を自然な方向で閲覧することができる。
以上、本発明の好ましい実施形態について説明したが、本発明はこれらの実施形態に限定されず、その要旨の範囲内で種々の変形及び変更が可能である。
【００４９】
（第３の実施形態）
以下、本発明の第３の実施形態によるスマートフォンについて説明する。なお、本実施例の構成は折り畳み式の携帯電話やデジタルスチルカメラ、またはそれらに類似する小型通信機器においても適用可能である。
【００５０】
図１１は、スマートフォンにおいて、本発明に係る表示を行ったときの機器の配置の一例を示す図である。
図１１（Ａ）に示す２台のスマートフォン（第１のスマートフォン１１０１、第２のスマートフォン１１１１）は、いずれも本発明に係るスマートフォンである。文字もしくは画像を表示する表示手段であるＬＣＤパネル部（１１０４、１１１４）を備え、その右辺やや上方に通信手段である近接無線用のアンテナ（１１０３、１１１３）をそれぞれ内蔵している。この場合、図１１（Ａ）のように、スマートフォン同士を一方が天地逆になるように保持することによって、アンテナ（１１０３、１１１３）を互いに接近させることができ、ＮＦＣによる通信が可能である。さらに、このとき双方のＬＣＤパネル部（１１０４、１１１４）は一方向から両方同時に閲覧できるような配置となる。
【００５１】
第１のスマートフォン１１０１、第２のスマートフォン１１１１は第１のスマートフォン１１０１がデータ送信、第２のスマートフォン１１１１がデータ受信を行っており、それぞれの送受信状態がＬＣＤパネル内に表示（１１０５、１１１５）されている。
第１のスマートフォン１１０１、第２のスマートフォン１１１１はいずれも機器内に後述する重力センサ１２０１を備えており、どの向きに保持されているかを検出することができる。
【００５２】
これによって、天地逆に保持されていると検出された側のスマートフォンの表示内容を１８０度回転して表示する。すなわち、図１１（Ａ）においては送信側のスマートフォン１１０１が回転表示しており、図１１（Ｂ）においては受信側のスマートフォン１１１１が回転表示している。
【００５３】
ただしこの重力センサ１２０１は、方位センサで代替してもよい。その場合、第１のスマートフォン１１０１、第２のスマートフォン１１１１の間で方位センサによる情報を通信し、互いに反対方向を向いていると判定した場合に、いずれか一方（例えばデータ受信側）の表示内容を１８０度回転して表示する。この場合は、双方のスマートフォンのＬＣＤパネルが上を向いた状態（平地に置いたような状態）で、本発明を適用できる。
１１０６および１１１６はそれぞれのスマートフォンにおいてアンテナ（１１０３、１１１３）がどの位置にあるかを指し示す表示要素である。表示内容を回転しているか否かを問わず、アンテナの位置を正しく指示する。
各スマートフォンの操作には、操作部（１１０２、１１１２）のほか、ＬＣＤパネルと一体化したタッチパネル１００２を用いる。
【００５４】
図１２は、第１のスマートフォン１１０１の内部のデータパスを示すブロック図である。図１１と同一のブロックには同一の番号を符っている。本発明に関係しないブロックは省略してあるが、ほかに通話モジュールやカメラ等を備えていてもよい。また、通信方式の異なる第２、第３の通信制御部およびアンテナを備えていてもよい。
【００５５】
１２０１はスマートフォン１１０１が保持された向きを検出するための重力センサである。
１２０２はタッチパネルであり、操作部１１０２とともに利用者から入力を受け付けるためのブロックである。
１２０３は、装置全体を制御するためのＣＰＵである。
１２０４はＣＰＵ１２０３が他の機器との通信を行うための通信制御部である。
１２０５は一次記憶部であり、ＣＰＵ１２０３のワーク領域として用いられたり、表示制御部１２０７のためのフレームバッファとして用いられたりする。
１２０６はプログラム・データ記憶部であり、ＣＰＵ１２０３はここからプログラムおよびデータを読み込んで各種の制御を行う。
１２０７は表示制御部であり、一時記憶部１２０５内のフレームバッファの内容を読みだしてＬＣＤパネル１１０４へ出力する。
【００５６】
図１３は、第１のスマートフォン１１０１において、第２のスマートフォン１１１１との通信における一連の動作を表すフローチャートである。図１３のフローチャートの動作は、ＣＰＵ１２０３が、各部の動作を制御することにより実現される。
【００５７】
まず、アンテナ１１０３の位置をＬＣＤパネル１１０４上に表示する（Ｓ１３０１）。
続いて、第２のスマートフォン１１１１との通信を確立する（Ｓ１３０２）。スマートフォンが複数の通信手段を備えている場合は、その中からＮＦＣによる通信を選択する処理も、このステップにおいて行う。また、このステップにおける初期通信で、互いの通信設定データを送受信し、ＮＦＣによって目的のデータ通信が行えることを確認する。
【００５８】
通信が確立したら、第１のスマートフォン１１０１が天地逆に保持されているかを重力センサ１２０１の検出結果によって判断する（Ｓ１３０３）。重力センサを方位センサで代替している場合は、このステップで第２のスマートフォン１１１１の方位を受信し、互いに逆方向を向いているか否かを判定する方向検出を行う。
【００５９】
Ｓ１３０３が真であれば、ＬＣＤパネル１１０４の表示を１８０度回転する（Ｓ１３０４）。さらに、アンテナ１１０３の位置をＬＣＤパネル１１０４上に再表示する（Ｓ１３０５）。このステップを実現するためには、あらかじめ通常の表示状態においてアンテナ１１０３の位置を指し示す制御方法と、１８０度回転表示状態において指し示す制御方法の両方を記憶しておき、ステップＳ１３０３の判定結果によって制御方法を切り替えればよい。これにより、１８０度回転する前後のいずれの場合においても、ＬＣＤパネル１１０４に表示することが可能となり、通信手段である近接無線用のアンテナ、もしくは通信手段に相当する外部装置を装着するための装着手段の位置を指し示す表示行うことができる。
【００６０】
保持姿勢の検出（Ｓ１３０３）と表示の回転（Ｓ１３０４）とアンテナ１１０３の位置再表示（Ｓ１３０５）は、可能であれば通信確立（Ｓ１３０２）より前に行ってもよい。
その後、通信を終了するまで、送受信状態表示を逐次更新する（Ｓ１３０６）。通信が終了したら（Ｓ１３０７）、ＬＣＤパネル１１０４の表示が１８０度回転した状態であるかを確認し（Ｓ１３０８）、真であれば表示を元の状態に戻して（Ｓ１３０９）、処理を終了する。
【００６１】
（その他の実施形態）
また、本発明は、以下の処理を実行することによっても実現される。即ち、上述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００６２】
１０１  第１のビデオカメラ本体、１０２  ＬＣＤパネル、１０３  アンテナ、１０４  ヒンジ、１０５  ジョイスティック、１１１  第２のビデオカメラ本体、１１２     第２のビデオカメラ本体のＬＣＤパネル、１１３  第２のビデオカメラ本体のアンテナ、１１４  第２のビデオカメラ本体のヒンジ、１１５  ビデオカメラ１０２のジョイスティック１１０１  第１のスマートフォン本体、１１０２  操作部、１１０３  アンテナ、１１０４  ＬＣＤパネル、１１０５  送受信状態表示、１１０６  アンテナの位置を示す表示、１１１１  第２のスマートフォン本体、１１１２  第２のスマートフォンの操作部、１１１３  第２のスマートフォンのアンテナ、１１１４  第２のスマートフォンのＬＣＤパネル、１１１５  第２のスマートフォンの送受信状態表示、１１１６  第２のスマートフォンのアンテナの位置を示す表示
【図１】
2013076892.tif 000004
【図２】
2013076892.tif 000005
【図３】
2013076892.tif 000006
【図４】
2013076892.tif 000007
【図５】
2013076892.tif 000008
【図６】
2013076892.tif 000009
【図７】
2013076892.tif 000010
【図８】
2013076892.tif 000011
【図９】
2013076892.tif 000012
【図１０】
2013076892.tif 000013
【図１１】
2013076892.tif 000014
【図１２】
2013076892.tif 000015
【図１３】
2013076892.tif 000016